(57)【特許請求の範囲】
【請求項１】
底部、左側部、右側部、正面部、背面部、前記底部に対向する部位に開口部を有し、被収容体を収容する袋状の収容ケース本体と、
前記開口部を開閉する蓋体と、
前記左側部の内壁に設けられた複数の突起からなる第１の突起群と、
前記右側部の内壁に設けられた複数の突起からなる第２の突起群と、
前記正面部の内壁に設けられた複数の突起からなる第３の突起群と、
前記背面部の内壁に設けられた複数の突起からなる第４の突起群と、
前記底部の内壁に設けられた複数の突起からなる第５の突起群と、
前記底部の内壁に対向する前記蓋体の内壁に設けられた複数の突起からなる第６の突起群とを備え、
前記第３の突起群、前記第４の突起群は弾性部材で形成され、
前記第３の突起群及び前記第４の突起群の突起が底部に向かって傾斜し、
前記被収容体が、前記左側部、前記右側部、前記正面部、前記背面部、前記底部及び前記蓋体の内壁から離間すると共に、前記第１の突起群、前記第２の突起群、前記第３の突起群、前記第４の突起群、前記第５の突起群、前記第６の突起群の内の何れか一つに支持され、前記収容ケース本体内に収容されている
ことを特徴とする収容ケース。
【請求項２】
底部、左側部、右側部、正面部、背面部、前記底部に対向する部位に開口部を有し、被収容体を収容する袋状の収容ケース本体と、
前記開口部を開閉する蓋体と、
前記左側部の内壁に設けられた複数の突起からなる第１の突起群と、
前記右側部の内壁に設けられた複数の突起からなる第２の突起群と、
前記正面部の内壁に設けられた複数の突起からなる第３の突起群と、
前記背面部の内壁に設けられた複数の突起からなる第４の突起群と、
前記底部の内壁に設けられた複数の突起からなる第５の突起群とを備え、
前記第３の突起群、前記第４の突起群は弾性部材で形成され、
前記第３の突起群及び前記第４の突起群の突起が底部に向かって傾斜し、
前記被収容体が、前記左側部、前記右側部、前記正面部、前記背面部及び前記底部の内壁から離間すると共に、前記第１の突起群、前記第２の突起群、前記第３の突起群、前記第４の突起群、前記第５の突起群の内の何れか一つに支持され、前記収容ケース本体内に収容されている
ことを特徴とする収容ケース。
【請求項３】
対向する左側部と右側部の面積は同じであり、
対向する正面部と背面部の面積は同じであり、
前記正面部の面積は前記左側部の面積より大である
ことを特徴とする請求項１又は請求項２記載の収容ケース。
【発明の詳細な説明】
【技術分野】
【０００１】
本発明は、収容ケースに係り、特に、被収容体を保護することができる収容ケースに関する。
【背景技術】
【０００２】
従来、被収容体（例えば、ゲームソフトなどが記録された記録媒体）を収納するための収容ケースがある（例えば、特許文献１記載のもの）。
【先行技術文献】
【特許文献】
【０００３】
【特許文献１】特開２００４−１８２２３６号公報
【発明の概要】
【発明が解決しようとする課題】
【０００４】
しかしながら、上記収容ケースにあっては、落下等が生じた場合、被収容体の保護の点で不十分で、改善の余地があった。
【０００５】
本発明は、上記要望を考慮してなされた収容ケースを提供することを目的とする。
【課題を解決するための手段】
【０００６】
請求項１記載の収容ケースは、底部、左側部、右側部、正面部、背面部、前記底部に対向する部位に開口部を有し、被収容体を収容する袋状の収容ケース本体と、前記開口部を開閉する蓋体と、前記左側部の内壁に設けられた複数の突起からなる第１の突起群と、前記右側部の内壁に設けられた複数の突起からなる第２の突起群と、前記正面部の内壁に設けられた複数の突起からなる第３の突起群と、前記背面部の内壁に設けられた複数の突起からなる第４の突起群と、前記底部の内壁に設けられた複数の突起からなる第５の突起群と、前記底部の内壁に対向する前記蓋体の内壁に設けられた複数の突起からなる第６の突起群とを備え、前記第３の突起群、前記第４の突起群は弾性部材で形成され、前記第３の突起群及び前記第４の突起群の突起が底部に向かって傾斜し、前記被収容体が、前記左側部、前記右側部、前記正面部、前記背面部、前記底部及び前記蓋体の内壁から離間すると共に、前記第１の突起群、前記第２の突起群、前記第３の突起群、前記第４の突起群、前記第５の突起群、前記第６の突起群の内の何れか一つに支持され、前記収容ケース本体内に収容されているものである。
【０００７】
また、請求項２記載の収容ケースは、底部、左側部、右側部、正面部、背面部、前記底部に対向する部位に開口部を有し、被収容体を収容する袋状の収容ケース本体と、前記開口部を開閉する蓋体と、前記左側部の内壁に設けられた複数の突起からなる第１の突起群と、前記右側部の内壁に設けられた複数の突起からなる第２の突起群と、前記正面部の内壁に設けられた複数の突起からなる第３の突起群と、前記背面部の内壁に設けられた複数の突起からなる第４の突起群と、前記底部の内壁に設けられた複数の突起からなる第５の突起群とを備え、前記第３の突起群、前記第４の突起群は弾性部材で形成され、前記第３の突起群及び前記第４の突起群の突起が底部に向かって傾斜し、前記被収容体が、前記左側部、前記右側部、前記正面部、前記背面部及び前記底部の内壁から離間すると共に、前記第１の突起群、前記第２の突起群、前記第３の突起群、前記第４の突起群、前記第５の突起群の内の何れか一つに支持され、前記収容ケース本体内に収容されているものである。
【０００８】
また、請求項３記載の収容ケースは、請求項１又は請求項２記載の収容ケースにおいて、対向する左側部と右側部の面積は同じであり、対向する正面部と背面部の面積は同じであり、前記正面部の面積は前記左側部の面積より大である。
【発明の効果】
【００１０】
請求項１記載の収容ケースによれば、被収容体が収容ケース本体の底部、左側部、右側部、正面部、背面部、底部及び蓋体の内壁から離間すると共に、第１の突起群、第２の突起群、第３の突起群、第４の突起群、第５の突起群、第６の突起群の内の何れか一つに支持され、収容ケース本体内に収容されているため、例えば、収容ケースを落としても、被収容体を保護することができる。
【００１１】
また、請求項２記載の収容ケースによれば、被収容体が収容ケース本体の底部、左側部、右側部、正面部、背面部、底部及び蓋体の内壁から離間すると共に、第１の突起群、第２の突起群、第３の突起群、第４の突起群、第５の突起群の内の何れか一つに支持され、収容ケース本体内に収容されているため、例えば、収容ケースを落としても、被収容体を保護することができる。
【００１２】
また、請求項１、２記載の収容ケースによれば、第３の突起群、第４の突起群が弾性部材で形成され、第３の突起群、第４の突起群の突起が底部に向かって傾斜しているため、蓋体を開けたとき、収容ケース本体内に収容した被収容体が開口部から抜け出るのを防止することができる。
【００１３】
また、請求項４記載の収容ケースによれば、被収容体が一方の内壁及び他方の内壁から離間すると共に、第１の突起群、第２の突起群の内の何れか一つに支持され、収容ケース本体内に収容されているため、例えば、収容ケースを落としても、被収容体を保護することができる。
【図面の簡単な説明】
【００１４】
【図１】図１は、本発明の一実施例の収容ケースに被収容体を収容する前の状態を示す概略的斜視図である。
【図２】図２は、図１の収容ケースの概略的正面図である。
【図３】図３は、図１の収容ケースの開口部を蓋で閉じた状態の概略的正面図である。
【図４】図４は、図２の概略的平面図である。
【図５】図５は、図３のＡ−Ａ線による概略的断面図である。
【図６】図６は、図４のＢ−Ｂ線による概略的断面図である。
【図７】図７は、図１の一部を拡大して示す概略的一部拡大斜視図である。
【発明を実施するための形態】
【００１５】
本発明の一実施例の収容ケースを図面を参照して説明する。
図１に示すＣは収容ケースで、収容ケースＣは、図３乃至図６に示すように、底部１１、左側部１２、右側部１３、正面部１４、背面部１５、底部１１に対向する部位に開口部１６を有し、被収容体１０を収容する袋状の収容ケース本体１を有している。被収容体１０は、例えば、ゲーム機である。開口部１６は、蓋体１７により開閉され、正面部１４の表面側に設けられた係止部１８を蓋体１７に設けられた被係止部１９（例えば、穴）に係止させて、蓋体１７の閉状態を保持するようにしている。
【００１６】
図４及び図６に示す２１は第１の突起群で、第１の突起群２１は、左側部１２の内壁に設けられた複数の突起からなるものであり、複数の突起は、左側部１２の内壁の略全体に亘って設けられている。
２２は第２の突起群で、第２の突起群２２は、右側部１３の内壁に設けられた複数の突起からなるものであり、複数の突起は、右側部１３の内壁の略全体に亘って設けられている。
また、図５に示す２３は第３の突起群で、第３の突起群２３は、正面部１４の内壁に設けられた複数の突起からなるものであり、複数の突起は、正面部１４の内壁の略全体に亘って設けられている。
２４は第４の突起群で、第４の突起群２４は、背面部１５の内壁に設けられた複数の突起からなるものであり、複数の突起は、背面部１５の内壁の略全体に亘って設けられている。
また、図４乃至図６に示す２５は第５の突起群で、第５の突起群２５は、底部１１の内壁に設けられた複数の突起からなるものであり、複数の突起は、底部１１の内壁の略全体に亘って設けられている。
また、図１、図２、図５、図６及び図７に示す２６は第６の突起群で、第６の突起群２６は、底部１１の内壁に対向する蓋体１７の内壁に設けられた複数の突起からなるものであり、複数の突起は、蓋体１７で開口部１６を閉じた場合、蓋体１７の開口部１６に対向する内壁の部位の略全体に亘って設けられている。
そして、被収容体１０が底部１１、左側部１２、右側部１３、正面部１４、背面部１５、底部１１及び蓋体１７の内壁から離間すると共に、第１の突起群２１、第２の突起群２２、第３の突起群２３、第４の突起群２４、第５の突起群２５、第６の突起群２６の内の何れか一つに支持され、収容ケース本体１内に収容されている。
その結果、例えば、収容ケースＣを落としても、被収容体１０を保護することができる。
【００１７】
本実施例の収容ケースＣ（図１乃至図７参照）にあっては、対向する左側部１２と右側部１３の面積は同じであり、また、対向する正面部１４と背面部１５の面積は同じであり、正面部１４の面積は左側部１２の面積より大となっている。そして、第３の突起群２３、第４の突起群２４が弾性部材で形成され、第３の突起群２３及び第４の突起群２４の突起が、図５に示すように、底部１１に向かって傾斜している。第３の突起群２３、第４の突起群２４は、例えば、シリコン樹脂で形成されている。
その結果、蓋体１７を開けたとき、第３の突起群２３及び第４の突起群２４の突起が、底部１１に向かって傾斜しているため、収容ケース本体１内に収容した被収容体１０が開口部１６から抜け出るのを防止することができる。
なお、第１の突起群２１、第２の突起群２２、第３の突起群２３、第４の突起群２４、第５の突起群２５、第６の突起群２６は、底部１１、左側部１２、右側部１３、正面部１４、背面部１５、底部１１、蓋体１７と共に、例えば、シリコン樹脂で一体的に形成されて収容ケースＣを構成している。
【００１８】
また、上述の実施例の収容ケースＣ（図１乃至図７参照）にあっては、第１の突起群２１〜第６の突起群２６を設けたが、本願発明においては、これに限らず、第１の突起群２１〜第６の突起群２６の内、第６の突起群２６のみを省略することもできる。
また、上述の実施例の収容ケースＣ（図１乃至図７参照）にあっては、対向する左側部１２と右側部１３の面積は同じであり、また、対向する正面部１４と背面部１５の面積は同じであり、正面部１４の面積は左側部１２の面積より大となっていたが、本願発明においては、これに限らず、左側部１２、右側部１３、正面部１４、背面部１５の面積が略同じ場合、第１の突起群２１、第２の突起群２２、第３の突起群２３、第４の突起群２４の突起を底部１１に向かって傾斜するように構成しても良い。
【００１９】
また、上述の実施例の収容ケースＣ（図１乃至図７参照）にあっては、厚みを有した平面状の左側部１２、右側部１３を備えていたが、本願発明においては、これに限らず、平面状の左側部１２、右側部１３を有しない、つまり、面でない線状の左側部１２、面でない線状の右側部１３を有する収容ケースＣ（図１乃至図７記載の収容ケースＣに比較し、厚みがない分、扁平状の収容ケース）にも適用することができる。
かかる場合の収容ケースＣ（扁平状の収容ケース）は、被収容体１０を収容する袋状の収容ケース本体１と、被収容体１０を出し入れする開口部１６を開閉する蓋体１７と、収容ケース本体１の対向する一方の内壁（図５で言えば、正面部１４の内壁）に設けられた複数の突起からなる第１の突起群（図５で言えば、第３の突起群２３が相当する）と、収容ケース本体１の対向する他方の内壁（図５で言えば、背面部１５の内壁）に設けられた複数の突起からなる第２の突起群（図５で言えば、第４の突起群２４が相当する）とを備え、被収容体１０が前記一方の内壁及び前記他方の内壁から離間すると共に、前記第１の突起群（図５で言えば、第３の突起群２３が相当する）、前記第２の突起群（図５で言えば、第４の突起群２４が相当する）の内の何れか一つに支持され、収容ケース本体１内に収容されていることとなる。
その結果、上述した収容ケースＣによれば、被収容体１０が一方の内壁（図５で言えば、正面部１４の内壁）及び他方の内壁（図５で言えば、背面部１５の内壁）から離間すると共に、第１の突起群（図５で言えば、第３の突起群２３が相当する）、第２の突起群（図５で言えば、第４の突起群２４が相当する）の内の何れか一つに支持され、収容ケース本体１内に収容されているため、例えば、収容ケースＣを落としても、被収容体１０を保護することができる。
【符号の説明】
【００２０】
Ｃ      収容ケース
１      収容ケース本体
１０    被収容体
１１    底部
１２    左側部
１３    右側部
１４    正面部
１５    背面部
１６    開口部
１７    蓋体
２１    第１の突起群
２２    第２の突起群
２３    第３の突起群
２４    第４の突起群
２５    第５の突起群
２６    第６の突起群
【図１】
0006554026.tif 000002
【図２】
0006554026.tif 000003
【図３】
0006554026.tif 000004
【図４】
0006554026.tif 000005
【図５】
0006554026.tif 000006
【図６】
0006554026.tif 000007
【図７】
0006554026.tif 000008